(57)【要約】【課題】  ワークトップとレンジフードとの高さ方向の間隔が設計通りに施工されていなくても、レンジフードとの間に隙間を生じさせることなく取り付けることのできるコンロ前の仕切り。【解決手段】  キッチンのコンロの前方においてワークトップ（１０）とレンジフードとの間に取り付けられる本発明の仕切りは、矩形状の仕切り板（１）を囲むように保持する枠フレーム（２：２ａ，２ｂ）と、枠フレームとワークトップとの間に介在して枠フレームの高さ位置を調整するための高さ調整部材と、高さ調整部材を覆うためのカバー部材（４：４ａ，４ｂ）と、枠フレームをワークトップに取り付けるための取付け具と、枠フレームをレンジフードに連結するための連結具とを備えている。【選択図】  図１
2008275221.tif 000002
【特許請求の範囲】
【請求項１】
キッチンのコンロの前方においてワークトップとレンジフードとの間に取り付けられる仕切りであって、
矩形状の仕切り板を囲むように保持する枠フレームと、
前記枠フレームと前記ワークトップとの間に介在して前記枠フレームの高さ位置を調整するための高さ調整部材と、
前記高さ調整部材を覆うためのカバー部材とを備えていることを特徴とする仕切り。
【請求項２】
前記枠フレームを前記ワークトップに取り付けるための取付け具をさらに備え、
前記ワークトップに対する前記取付け具の取付け位置が水平方向に調整可能に構成されていることを特徴とする請求項１に記載の仕切り。
【請求項３】
前記取付け具は、鉛直方向に延びる支柱部材を有し、
前記枠フレームは、前記支柱部材に対応して鉛直方向に延びる孔を有することを特徴とする請求項２に記載の仕切り。
【請求項４】
前記枠フレームを前記レンジフードに連結するための連結具をさらに備え、
前記枠フレームの連結状態において、前記連結具の前面と前記枠フレームの前面とが整列し且つ前記連結具の後面と前記枠フレームの後面とが整列するように構成されていることを特徴とする請求項１乃至３のいずれか１項に記載の仕切り。
【発明の詳細な説明】
【技術分野】
【０００１】
本発明は、コンロ前の仕切りに関し、さらに詳細にはキッチンのコンロの前方においてワークトップとレンジフードとの間に取り付けられる仕切りに関するものである。
【背景技術】
【０００２】
従来、オープン型の対面キッチンでは、調理中にコンロ（例えばガスコンロのような調理用の加熱器具）の周辺から発生する油煙がダイニング側に流れ込むのを防ぐために、ワークトップとレンジフードとの間にコンロ前の仕切りが設けられている。
【発明の開示】
【発明が解決しようとする課題】
【０００３】
通常のキッチン施工では、床の不陸や壁面の倒れなどが不可避的に発生する。このため、ワークトップとレンジフードとの高さ方向の間隔および水平方向（奥行き方向、左右方向）の位置関係は、設計通りになりにくい。
【０００４】
従来技術では、固定的な高さ寸法を有する仕切りをワークトップに取り付けるため、レンジフードと仕切りとの間に隙間が生じやすい。また、ワークトップ上の固定された位置、すなわち設計上の位置に仕切りを取り付けると、レンジフードに取り付けられた連結具から仕切りが左右方向にはみ出したり、連結具を前方または後方へ無理に引っ張った状態で仕切りを取り付けたりすることになる。
【０００５】
本発明は、前述の課題に鑑みてなされたものであり、ワークトップとレンジフードとの高さ方向の間隔が設計通りに施工されていなくても、レンジフードとの間に隙間を生じさせることなく取り付けることのできるコンロ前の仕切りを提供することを目的とする。
【課題を解決するための手段】
【０００６】
前記課題を解決するために、本発明では、キッチンのコンロの前方においてワークトップとレンジフードとの間に取り付けられる仕切りであって、
矩形状の仕切り板を囲むように保持する枠フレームと、
前記枠フレームと前記ワークトップとの間に介在して前記枠フレームの高さ位置を調整するための高さ調整部材と、
前記高さ調整部材を覆うためのカバー部材とを備えていることを特徴とする仕切りを提供する。
【０００７】
本発明の好ましい態様によれば、前記枠フレームを前記ワークトップに取り付けるための取付け具をさらに備え、前記ワークトップに対する前記取付け具の取付け位置が水平方向に調整可能に構成されている。この場合、前記取付け具は、鉛直方向に延びる支柱部材を有し、前記枠フレームは、前記支柱部材に対応して鉛直方向に延びる孔を有することが好ましい。
【０００８】
また、本発明の好ましい態様によれば、前記枠フレームを前記レンジフードに連結するための連結具をさらに備え、前記枠フレームの連結状態において、前記連結具の前面と前記枠フレームの前面とが整列し且つ前記連結具の後面と前記枠フレームの後面とが整列するように構成されている。
【発明の効果】
【０００９】
本発明にかかるコンロ前の仕切りでは、矩形状の仕切り板を囲むように保持する枠フレームとワークトップとの間に、枠フレームの高さ位置を調整するための高さ調整部材を介在させ、この高さ調整部材をカバー部材により覆う構成を採用している。したがって、ワークトップとレンジフードとの高さ方向の間隔が設計通りに施工されていなくても、高さ調整部材の作用により枠フレームの取付け高さ位置を現場で適宜調整して、レンジフードとの間に隙間を生じさせることなく仕切りを取り付けることができ、ひいては調理中にコンロの周辺から発生する油煙がダイニング側に流れ込むのを確実に防ぐことができる。
【００１０】
なお、本発明では、枠フレームをワークトップに取り付けるための取付け具のワークトップに対する取付け位置が水平方向に調整可能に構成されていることが好ましい。この構成により、ワークトップとレンジフードとの水平方向の位置関係が設計通りに施工されていなくても、ワークトップに対する枠フレームの取付け位置を水平方向に沿って現場で適宜調整することにより、レンジフードに取り付けられた連結具から仕切りが左右方向にはみ出したり、連結具を前方または後方へ無理に引っ張った状態で仕切りを取り付けたりするような施工不良を確実に回避することができる。
【００１１】
また、本発明では、取付け具が鉛直方向に延びる支柱部材を有し、枠フレームは支柱部材に対応して鉛直方向に延びる孔を有することが好ましい。この場合、高さ調整部材の作用により枠フレームの取付け高さ位置を調整する構成、およびワークトップに対する取付け具の取付け位置を水平方向に調整する構成を容易に実現することができる。
【００１２】
また、本発明では、枠フレームをレンジフードに連結するための連結具の前面と枠フレームの前面とが整列するとともに、連結具の後面と枠フレームの後面とが整列するように構成されていることが好ましい。この構成により、例えばオープン型の対面キッチンの美観を損なうことなく、コンロ前の仕切りを付設することができる。
【発明を実施するための最良の形態】
【００１３】
本発明の実施形態を、添付図面に基づいて説明する。図１は、本発明の実施形態にかかるコンロ前の仕切りの構成を概略的に示す図であって、（ａ）は正面図を、（ｂ）は右側面図を示している。図１を参照すると、本実施形態の仕切りは、矩形状の仕切り板１と、仕切り板１を囲むように保持する枠フレーム２と、枠フレーム２の高さ位置を調整するための高さ調整部材（図１では不図示）３と、高さ調整部材３を覆うためのカバー部材４とを備えている。
【００１４】
さらに、本実施形態の仕切りは、枠フレーム２をワークトップ１０に取り付けるための取付け具（図１では不図示：後述の図２を参照）５と、枠フレーム２をレンジフード（図１では不図示：後述の図３を参照）１１に連結するための連結具（図１では不図示：後述の図３を参照）６とを備えている。仕切り板１は、例えば透明または半透明なガラス板により構成されている。
【００１５】
枠フレーム２は、仕切り板１を左右から挟み込む一対の縦フレーム２ａと、仕切り板１を上下から挟み込む一対の横フレーム２ｂとにより構成されている。カバー部材４は、枠フレーム２の下側面（下側の横フレーム２ｂの下側面および縦フレーム２ａの下端面）とワークトップ１０の表面１０ａとの間の空間を前後方向から覆うための一対の前後カバー４ａと、この空間を左右方向から覆うための一対のサイドキャップ４ｂとにより構成されている。
【００１６】
図２は、枠フレームをワークトップに取り付けるための取付け具および枠フレームの高さ位置を調整するための高さ調整部材の構成を概略的に示す図である。図２を参照すると、取付け具５は、例えば、鉛直方向に延びる円柱状の支柱部材５ａが設けられた支柱プレート５ｂと、支柱プレート５ｂをワークトップ１０に取り付けるための一対のボルト５ｃ、一対のボルト５ｃに共通のナット板５ｄ、および一対のボルト５ｃに共通の固定板５ｅとを有する。支柱プレート５ｂには、一対のボルト５ｃに対応するように、一対のボルト孔５ｂａがルーズホールの形態で設けられている。
【００１７】
このように、一対のボルト５ｃと一対のルーズホール５ｂａとの協働作用により、ワークトップ１０に対する取付け具５の取付け位置（厳密には取付け具５の支柱部材５ａの取付け位置）が水平方向（図２の紙面の奥行き方向、左右方向）に調整可能に構成されている。なお、図２では、前後方向に間隔を隔てて設けられた一対のボルト５ｃおよび一対のルーズホール５ｂａのうち、一方のボルト５ｃおよび一方のルーズホール５ｂａだけを図示している。
【００１８】
枠フレーム２の縦フレーム２ａには、支柱部材５ａに対応して鉛直方向に延びる例えば円形状の挿入孔２ａａが設けられている。挿入孔２ａａは、支柱部材５ａの外形寸法よりも僅かに大きい内形寸法を有する。したがって、取付け具５の支柱部材５ａと縦フレーム２ａの挿入孔２ａａとが係合した状態では、取付け具５に対して枠フレーム２は鉛直方向（高さ方向）に自由に移動可能であるが、水平方向（奥行き方向、左右方向）に沿った取付け具５と枠フレーム２との位置関係は固定的になる。
【００１９】
本実施形態の仕切りは、高さ調整部材として、枠フレーム２の下側の横フレーム２ｂとワークトップ１０との間に設置された１つまたは複数のアジャスタ３を備えている。アジャスタ３は、周知の構成にしたがって、横フレーム２ｂの下端面に当接する支持プレート３ａと、支持プレート３ａに取り付けられたねじ部３ｂと、ねじ部３ｂと螺合するナット３ｃと、ねじ部３ｂが貫通する孔を有し且つナット３ｃを当接支持する基底部３ｄとを有する。したがって、アジャスタ３のナット３ｃを回転させることにより、支持プレート３ａが上下方向に移動し、ひいては枠フレーム２の高さ位置が調整される。
【００２０】
図３は、枠フレームをレンジフードに連結するための連結具の構成および連結動作を概略的に示す図である。連結具６は、図３の左図に示すように、前後面のうちの一方の面（図中右側の面）の方が他方の面（図中左側の面）よりも下方へ長く延びる断面形状を有する連結具本体６ａと、レンジフード１１の下端面１１ａに連結具本体６ａを取り付けるための複数のビス６ｂとを備えている。連結具本体６ａは、例えば横フレーム２ｂの左右方向の寸法に対応する長さを有し、枠フレーム２の取付け位置に対応する位置に取り付けられている。
【００２１】
枠フレーム２は、前後のうちの一方の側（図中右側）において上側の横フレーム２ｂの面の方が縦フレーム２ａの面よりも僅かに内側に位置し、他方の側（図中左側）において上側の横フレーム２ｂの面と縦フレーム２ａの面とが整列するように構成されている。したがって、図３の右図に示すように、アジャスタ３の作用により枠フレーム２が上昇して上側の横フレーム２ｂが連結具本体６ａに嵌合すると、この嵌合状態（連結状態）において、連結具本体６ａの前面と枠フレーム２の前面とが整列し且つ連結具本体６ａの後面と枠フレーム２の後面とが整列する。
【００２２】
さらに詳細には、図３の右図に示す連結状態において、図中右側では、縦フレーム２ａの面と連結具本体６ａの面とが整列し、上側の横フレーム２ｂの面は連結具本体６ａの面に覆われる。図３の右図に示す連結状態において、図中左側では、縦フレーム２ａの面と上側の横フレーム２ｂの面と連結具本体６ａの面とが整列する。こうして、例えば複数のビスにより連結具本体６ａの図中右側の面と上側の横フレーム２ｂの図中右側の面とをねじ締結することにより、枠フレーム２が連結具６を介してレンジフード１１に取り付けられる。
【００２３】
本実施形態では、取付け具５の支柱部材５ａと縦フレーム２ａの挿入孔２ａａとを係合させた状態で、ワークトップ１０に対して取付け具５を仮に取り付ける。取付け具５の仮取付けに際し、例えばワークトップ１０に予め形成された貫通孔にボルト５ｃを通し、ナット板５ｄにボルト５ｃを螺合させ、ボルト５ｃのヘッドを所要量だけ回転させる。
【００２４】
また、例えば複数のビスにより、レンジフード１１の下端面１１ａに連結具本体６ａを取り付ける。その後、下側の横フレーム２ｂとワークトップ１０との間に例えば一対のアジャスタ３を介在させ、ワークトップ１０に対する取付け具５の支柱部材５ａの取付け位置を水平方向に適宜調整しつつ、アジャスタ３の作用により枠フレーム２を上昇させて上側の横フレーム２ｂを連結具本体６ａに嵌合させる。
【００２５】
上側の横フレーム２ｂを連結具本体６ａに嵌合させた状態で、例えば複数のビスにより連結具本体６ａと上側の横フレーム２ｂとをねじ締結するとともに、ボルト５ｃを締め付けることによりワークトップ１０に対して取付け具５を固定的に取り付ける。最後に、一対の前後カバー４ａおよび一対のサイドキャップ４ｂを取り付ける。
【００２６】
なお、上述に説明では、取付け具５をワークトップ１０の表面に直接的に取り付け、アジャスタ３をワークトップ１０の表面に直接的に載置している。しかしながら、これに限定されることなく、例えば枠フレーム２の全幅に沿って延びるベースプレートを取付け具５の支柱プレート５ｂおよびアジャスタ３とワークトップ１０との間に介在させても良い。この場合、ベースプレートには、取付け具５の一対のルーズホール５ｂａに対応して、一対のルーズホールが形成される。
【００２７】
以上のように、本実施形態にかかるコンロ前の仕切りでは、矩形状の仕切り板１を囲むように保持する枠フレーム２とワークトップ１０との間に、枠フレーム２の高さ位置を調整するための高さ調整部材３を介在させ、この高さ調整部材３をカバー部材４ａ，４ｂにより覆っている。その結果、ワークトップ１０とレンジフード１１との高さ方向の間隔が設計通りに施工されていなくても、高さ調整部材３の作用により枠フレーム２の取付け高さ位置を現場で適宜調整して、レンジフード１１との間に隙間を生じさせることなく仕切りを取り付けることができ、ひいては調理中にコンロの周辺から発生する油煙がダイニング側に流れ込むのを確実に防ぐことができる。
【００２８】
また、本実施形態では、枠フレーム２をワークトップ１０に取り付けるための取付け具５のワークトップ１０に対する取付け位置が水平方向に調整可能に構成されているので、ワークトップ１０とレンジフード１１との水平方向の位置関係が設計通りに施工されていなくても、ワークトップ１０に対する枠フレーム２の取付け位置を水平方向に沿って現場で適宜調整することにより、レンジフード１１に取り付けられた連結具６から仕切りが左右方向にはみ出したり、連結具６を前方または後方へ無理に引っ張った状態で仕切りを取り付けたりするような施工不良を確実に回避することができる。
【００２９】
また、本実施形態では、取付け具５が鉛直方向に延びる支柱部材５ａを有し、枠フレーム２の縦フレーム２ａが支柱部材５ａに対応して鉛直方向に延びる孔２ａａを有するので、高さ調整部材３の作用により枠フレーム２の取付け高さ位置を調整する構成、およびワークトップ１０に対する取付け具５の支柱部材５ａの取付け位置を水平方向に調整する構成を容易に実現することができる。
【００３０】
また、本実施形態では、枠フレーム２をレンジフード１１に連結するための連結具６の連結具本体６ａの前面と枠フレーム２の前面とが整列するとともに、連結具６の連結具本体６ａの後面と枠フレーム２の後面とが整列するように構成されているので、例えばオープン型の対面キッチンの美観を損なうことなく、コンロ前の仕切りを付設することができる。
【図面の簡単な説明】
【００３１】
【図１】本発明の実施形態にかかるコンロ前の仕切りの構成を概略的に示す図であって、（ａ）は正面図を、（ｂ）は右側面図を示している。
【図２】枠フレームをワークトップに取り付けるための取付け具および枠フレームの高さ位置を調整するための高さ調整部材の構成を概略的に示す図である。
【図３】枠フレームをレンジフードに連結するための連結具の構成および連結動作を概略的に示す図である。
【符号の説明】
【００３２】
１  仕切り板
２  枠フレーム
２ａ  縦フレーム
２ｂ  横フレーム
３  アジャスタ（高さ調整部材）
４  カバー部材
４ａ  前後カバー
４ｂ  サイドキャップ
５  取付け具
６  連結具
１０  ワークトップ
１１  レンジフード
【図１】
2008275221.tif 000003
【図２】
2008275221.tif 000004
【図３】
2008275221.tif 000005